(57)【要約】【課題】比較的大きい風進入口の風圧を有すると共に、比較的簡単な構造を有し、さらに放熱枠座に結合されるのを選択することにより、類似送風式の放熱ファンを形成することができる吊り下げ式放熱ファンの改良構造を提供しようとするものである。【解決手段】ファンおよびリングにより構成される。ファンにはファンホイールが回転するのを収容するための収容空間が設けられ、収容空間には風排出口が形成され、収容空間を形成するスルーホール縁端には結合部が形成され、結合部はリングが固定して結合するのに用いられることができ、リングの内径の位置は風進入口として形成されることができ、リングの内径はファンホイールの羽根の最大直径より小さくなるように構成されている。【選択図】　　図１
0003097728.tif 000002
【実用新案登録請求の範囲】
【請求項１】
ファン（１）およびリング（２）により構成される吊り下げ式放熱ファンの改良構造であって、ファン（１）にはファンホイール（１２）が回転するのを収容するための収容空間（１１）が設けられ、収容空間（１１）には風排出口（１４）が形成され、収容空間（１１）を形成するスルーホール縁端には結合部（１３）が形成され、リング（２）はファン（１）の結合部（１３）に固設されると共に、リング（２）の内径の位置は風進入口として形成することができ、リング（２）の内径はファンホイール（１２）の羽根の最大直径より小さくなるように形成されることを特徴とする吊り下げ式放熱ファンの改良構造。
【請求項２】
ファン（１）の結合部（１３）は収容空間（１１）のスルーホール縁端の環状縁端に突出するように形成されることにより、リング（２）は粘着剤により貼接して固定されることを特徴とする請求項１記載の吊り下げ式放熱ファンの改良構造。
【請求項３】
ファン（１）の結合部（１３）は収容空間（１１）のスルーホール縁端の環状リップに突出するように形成され、リング（２）の外囲の部位には凹んだ環状溝（２２）が設けられ、環状溝（２２）により環状リップに嵌合することができるように形成されることを特徴とする請求項１記載の吊り下げ式放熱ファンの改良構造。
【請求項４】
リング（２）の上表面には案内面（２１）が形成され、案内面（２１）は比較的大きい径部から比較的小さい径部に向かって高さが段々と低くなっていくように傾斜面が形成されることを特徴とする請求項１記載の吊り下げ式放熱ファンの改良構造。
【請求項５】
リング（２）の傾斜面は円弧面に形成されることを特徴とする請求項４記載の吊り下げ式放熱ファンの改良構造。
【請求項６】
リング（３）は同じ厚さを有するように形成されることを特徴とする請求項２記載の吊り下げ式放熱ファンの改良構造。
【請求項７】
リング（３）はファン（１）の上表面とは平らになるように形成されることを特徴とする請求項６記載の吊り下げ式放熱ファンの改良構造。
【請求項８】
ファン（１）は位置決め部材（４１）により枠座（４）に結合され、枠座（４）には囲むように壁（４２）が形成され、壁（４２）には風排出口（４３）が設けられることを特徴とする請求項１記載の吊り下げ式放熱ファンの改良構造。
【請求項９】
枠座（４）の壁（４２）は四角形で、壁（４２）の一辺以上の辺には風排出口（４３）が設けられることを特徴とする請求項８記載の吊り下げ式放熱ファンの改良構造。
【考案の詳細な説明】
【０００１】
【考案の属する技術分野】
本考案は、吊り下げ式放熱ファンの改良構造に関するもので、特に上記吊り下げ式放熱ファンの改良構造の風進入口は実際の需要性に応じて小さくすることができることにより、風進入口の風圧を増やすことができる吊り下げ式放熱ファンの改良構造に係るものである。
【０００２】
【従来の技術】
従来この種のものにあっては、下記のようなものになっている。
【０００３】
従来の吊り下げ式放熱ファンの構造としては、図８に示すように、基板８０には座孔８１が設けられ、座孔８１の孔の縁端には下方へ延伸するように複数個の桿体８２が設けられ、桿体８２により座板８３を支持し、座板８３には軸管８４が設けられ、軸管８４はファンホイール８５の回転軸８６が枢着して回転するのに用いられ、ファンホイール８５の回転により気体が流動するのを駆動することができるため、発熱源と結合された放熱装置８７は最良な放熱効果を獲得することができるようにとしたものがある。
【０００４】
また、従来の類似送風式放熱ファンの構造としては、図９に示すように、放熱ファンの枠座９０には回転自在なファンホイール９１が設けられ、枠座９０がファンホイール９１を収容した後、再び蓋板９２により蓋をし、蓋板９２には風進入口９３が設けられ、ファンホイール９１が回転された時、風進入口９３から気体を吸入し、そして枠座９０の側辺の風排出口９４から送出されるため、発熱源に対して放熱することができるようにとしたものがある（例えば、特許文献１を参照）。
【０００５】
【特許文献１】
中華民国公告番号第３１６７３３号公報
【０００６】
【考案が解決しようとする課題】
上記のような従来の吊り下げ式放熱ファンの構造においては、ファンホイール８５を取り付けて結合することができるようにするべく、基板８０の座孔８１の直径はファンホイール８５の羽根の直径より大きくなければならないため、上記吊り下げ式放熱ファンの構造の風進入口の風圧も相対的に小さくなるという問題点があった。そのため、上記のような従来の吊り下げ式放熱ファンの構造をさらに改良しなければならない。
【０００７】
また、上記のような従来の類似送風式放熱ファンの構造においては、放熱ファンの蓋板９２はファンホイール９１が枠座９０に取り付けられてから再び蓋されることにより、蓋板９２の風進入口９３の直径はファンホイール９１の直径より小さくなるように形成されることができるため、上記類似送風式放熱ファンの構造は比較的大きい風進入口の風圧を獲得することができるが、上記類似送風式放熱ファンの構造は比較的複雑で、しかも製造上においても比較的面倒であり、さらに側辺の風排出口の使用にしか適用しないため、使用の場所と範囲が制限されてしまうという問題点があった。そのため、上記のような従来の類似送風式放熱ファンの構造についてさらに改良することが希求されている。
【０００８】
本考案の第一の目的は、比較的大きい風進入口の風圧を有すると共に、比較的簡単な構造を有する吊り下げ式放熱ファンの改良構造を提供しようとするものである。
【０００９】
本考案の第二の目的は、放熱枠座に結合されるのを選択することにより、類似送風式の放熱ファンを形成することができる吊り下げ式放熱ファンの改良構造を提供しようとするものである。
【００１０】
【課題を解決するための手段】
上記目的を達成するために、本考案による吊り下げ式放熱ファンの改良構造は、下記のようになるものである。すなわち、
ファンおよびリングにより構成される。ファンにはファンホイールが回転するのを収容するための収容空間が設けられ、収容空間には風排出口が形成され、収容空間を形成するスルーホール縁端には結合部が形成される。リングはファンの結合部に固設されると共に、リングの内径の位置は風進入口として形成されることができ、リングの内径はファンホイールの羽根の最大直径より小さくなるように形成される。
【００１１】
本考案による吊り下げ式放熱ファンの改良構造は、ファンの結合部は収容空間のスルーホール縁端の環状縁端に突出するように形成されることにより、リングは粘着剤により貼接して固定されることもできる。また、ファンの結合部は収容空間のスルーホール縁端の環状リップに突出するように形成され、リングの外囲の部位には凹んだ環状溝が設けられ、環状溝により環状リップに嵌合することもできる。また、リングの上表面には案内面が形成され、案内面は比較的大きい径部から比較的小さい径部に向かって高さが段々と低くなっていくように傾斜面が形成されることもできる。また、リングの傾斜面は円弧面に形成されることもできる。また、リングは同じ厚さを有するように形成されることもできる。また、リングはファンの上表面とは平らになるように形成されることもできる。また、ファンは位置決め部材により枠座に結合され、枠座には囲むように壁が形成され、壁には風排出口が設けられることもできる。また、枠座の壁は四角形で、壁の一辺以上の辺には風排出口が設けられることもできる。
【００１２】
【考案の実施の形態】
本考案の実施の形態について、以下、図面を参照して説明する。
【００１３】
【実施形態１】
図１は本考案による実施形態１の吊り下げ式放熱ファンの改良構造による局部の分解斜視図で、本考案の実施形態１の吊り下げ式放熱ファンの改良構造は主にファン１およびリング２などの部材により構成される。
【００１４】
ファン１は従来の吊り下げ式放熱ファンからなることができ、ファン１にはファンホイール１２が回転するのを収容するための収容空間１１が設けられ、そして気流は風排出口１４から送出される。収容空間１１を形成するスルーホール縁端には結合部１３が形成され、結合部１３はリング２が結合するのに用いられることができる。
【００１５】
リング２はファン１の結合部１３に結合されることができ、そしてリング２の内径の位置はファン１の風進入口として形成され、リング２は従来の各種の固定方式により結合部１３に固定されることができる。本実施形態において、リング２は接着剤によりファン１の結合部１３に固定され（図２、３を参照）、リング２の内径はファンホイール１２の羽根の直径より小さくなるように形成される。その他に、リング２に気体が流動するのを比較的スムースに案内させるべく、リング２の上表面には案内面２１が形成され、案内面２１は比較的大きい径部から比較的小さい径部に向かって高さが段々と低くなっていくように傾斜面が形成され、さらに上記傾斜面は円弧面に形成されることもできる。
【００１６】
図４は図３に示す本考案の実施形態１の断面図で、リング２は直接嵌合の方式によりファン１の結合部１３に結合されることにより、ファン１の風進入口が形成される。本実施形態において、ファン１の結合部１３は収容空間１１のスルーホール縁端に形成された環状リップからなり、そしてリング２の外囲の部位には凹んだ環状溝２２が設けられることにより、リング２は環状溝２２によりファン１の環状リップからなる結合部１３に直接嵌合することができる。
【００１７】
【実施形態２】
図５は本考案による実施形態２の吊り下げ式放熱ファンの改良構造による局部の分解斜視図で、本考案の実施形態２の吊り下げ式放熱ファンは枠座４に結合されることができる。
【００１８】
ファン１にもファンホイール１２が回転するのを収容するための収容空間１１が設けられ、そして収容空間１１を形成するスルーホール縁端には結合部１３が形成され、結合部１３はリング２が結合するのに用いられることができる。本実施形態において、結合部１３はファン１の上表面より低い環状フランジからなることができる。
【００１９】
リング３はファン１の結合部１３に結合されることができ、そしてリング３の内径の位置はファン１の風進入口として形成され、リング３は従来の各種の固定方式により結合部１３に固定されることができる。本実施形態において、リング３は同じ厚さに形成されると共に、ファン１の結合部１３に固定され、その高さはファン１の上表面とは平らになるように形成されるため、本実施形態の吊り下げ式放熱ファンの上表面は比較的よい外観を有するように形成され、さらにリング３の内径もファンホイール１２の羽根の最大直径より小さくなるように形成される。
【００２０】
枠座４は放熱性のよい金属材質により製造されることができ、枠座４はねじなどの位置決め部材４１によりファン１と結合することができる。枠座４には囲むように壁４２が形成され、壁４２には風排出口４３が設けられる。枠座４が四角形の壁４２に形成された時、風排出口４３は一辺以上の壁４２に設けられることができる。
【００２１】
図６は本考案の実施形態２の吊り下げ式放熱ファンの改良構造による組立てられた状態の平面図で、図７は図６のＢ−Ｂ線に沿った断面図である。ファン１は枠座４に結合され、そしてファン１の結合部１３にはリング３が結合され、リング３の内径の位置はファン１の風進入口に形成されると共に、リング３の内径はファンホイール１２の羽根の最大直径より小さくなるように形成されるため、本実施形態の吊り下げ式放熱ファンは比較的大きい進入口の風圧を有するように形成されると同時に、本考案を類似送風式の放熱ファンとして使用することもできる。
【００２２】
【考案の効果】
本考案の吊り下げ式放熱ファンの改良構造によれば、ファンの結合部にはリングが設けられると共に、リングの内径はファンホイールの羽根の最大直径より小さくなるように形成されることにより、本考案の吊り下げ式放熱ファンのファンホイールが回転した時、リングの内径の位置に形成された風進入口は小さくなることができるため、進入口の風圧を増やすことができるという利点がある。
【００２３】
本考案の吊り下げ式放熱ファンの改良構造によれば、放熱枠座に結合されるのを選択することにより、類似送風式の放熱ファンを形成することができるため、構造が簡単になって製造上において大変便利になると共に、進入口の風圧を増やすことができるという利点がある。
【００２４】
本考案は、その精神及び必須の特徴事項から逸脱することなく他のやり方で実施することができる。従って、本明細書に記載した好ましい実施例は例示的なものであり、限定的なものではない。
【図面の簡単な説明】
【図１】本考案の実施形態１の吊り下げ式放熱ファンの改良構造による局部の分解斜視図である。
【図２】本考案の実施形態１の吊り下げ式放熱ファンの改良構造による組立てられた状態の平面図である。
【図３】図２のＡ−Ａ線に沿った断面図である。
【図４】図３に示す本考案の実施形態１の断面図である。
【図５】本考案の実施形態２の吊り下げ式放熱ファンの改良構造による局部の分解斜視図である。
【図６】本考案の実施形態２の吊り下げ式放熱ファンの改良構造による組立てられた状態の平面図である。
【図７】図６のＢ−Ｂ線に沿った断面図である。
【図８】従来の吊り下げ式放熱ファンの構造による分解斜視図である。
【図９】従来の類似送風式放熱ファンによる分解斜視図である。
【符号の説明】
１　　ファン　　　　　　　　　　　１１　　収納空間
１２　　ファンホイール　　　　　　　１３　　結合部
１４　　風排出口　　　　　　　　　　　２　　リング
２１　　案内面　　　　　　　　　　　２２　　環状溝
３　　リング　　　　　　　　　　　　４　　枠座
４１　　位置決め部材　　　　　　　　４２　　壁
４３　　風排出口
【図１】
0003097728.tif 000003
【図２】
0003097728.tif 000004
【図３】
0003097728.tif 000005
【図４】
0003097728.tif 000006
【図５】
0003097728.tif 000007
【図６】
0003097728.tif 000008
【図７】
0003097728.tif 000009
【図８】
0003097728.tif 000010
【図９】
0003097728.tif 000011